(57)【要約】【課題】  レール固定部材のコストを抑えることができるインクジェットプリンターを提供する。【解決手段】  インクジェットプリンターは、インクジェットヘッドを搭載するキャリッジの矢印１０ｂで示す方向における移動をガイドするためのガイドレールが固定されるレール固定部材２０を備え、レール固定部材２０は、ガイドレールが固定されるレール固定面３１ｄ、４１ｄ、５１ｄが形成される前面側部材３１、４１、５１と、前面側部材３１、４１、５１が固定される背面側部材３２、４２、５２と、背面側部材３２、４２、５２に対して前面側部材３１、４１、５１を固定する偏心ネジ３３、４３、５３およびネジ３４、４４、５４とを備え、偏心ネジ３３、４３、５３およびネジ３４、４４、５４は、矢印１０ｂで示す方向において複数の箇所に配置されることを特徴とする。【選択図】  図３
2019199035.tif 000002
【特許請求の範囲】
【請求項１】
インクジェットヘッドを搭載するキャリッジの特定の方向における移動をガイドするためのガイドレールが固定されるレール固定部材を備え、
前記レール固定部材は、
前記ガイドレールが固定されるレール固定面が形成される第１の部材と、
前記第１の部材が固定される第２の部材と、
前記第２の部材に対して前記第１の部材を固定する複数の固定部と
を備え、
前記第１の部材は、板金で形成され、
前記固定部は、前記特定の方向において複数の箇所に配置されることを特徴とするインクジェットプリンター。
【請求項２】
前記固定部は、前記レール固定面の延在方向であって前記特定の方向に直交する方向における前記レール固定面の両側に、前記特定の方向において複数の箇所に配置されることを特徴とする請求項１に記載のインクジェットプリンター。
【請求項３】
前記第２の部材は、板金で形成されることを特徴とする請求項１または請求項２に記載のインクジェットプリンター。
【発明の詳細な説明】
【技術分野】
【０００１】
本発明は、インクジェットヘッドを搭載するキャリッジの移動をガイドするガイドレールが固定されるレール固定部材を備えるインクジェットプリンターに関する。
【背景技術】
【０００２】
従来のインクジェットプリンターとして、インクジェットヘッドを搭載するキャリッジの移動をガイドするガイドレールが固定されるレール固定部材を備えるものが知られている（例えば、特許文献１参照。）。特許文献１に記載されたレール固定部材は、四角管状に形成されており、例えば、アルミニウム合金が押出成形されることによって形成される。
【先行技術文献】
【特許文献】
【０００３】
【特許文献１】特開２０１７−０４８０４４号公報
【発明の概要】
【発明が解決しようとする課題】
【０００４】
しかしながら、従来のインクジェットプリンターにおいては、レール固定部材の材料コストおよび加工コストが高いという問題がある。
【０００５】
そこで、本発明は、レール固定部材のコストを抑えることができるインクジェットプリンターを提供することを目的とする。
【課題を解決するための手段】
【０００６】
本発明のインクジェットプリンターは、インクジェットヘッドを搭載するキャリッジの特定の方向における移動をガイドするためのガイドレールが固定されるレール固定部材を備え、前記レール固定部材は、前記ガイドレールが固定されるレール固定面が形成される第１の部材と、前記第１の部材が固定される第２の部材と、前記第２の部材に対して前記第１の部材を固定する複数の固定部とを備え、前記第１の部材は、板金で形成され、前記固定部は、前記特定の方向において複数の箇所に配置されることを特徴とする。
【０００７】
この構成により、本発明のインクジェットプリンターは、第１の部材が板金で形成されるので、レール固定部材のコストを抑えることができる。また、本発明のインクジェットプリンターは、第１の部材が板金で形成されても、複数の固定部によってレール固定面を特定の方向に対して平行に調整可能であるので、レール固定面に固定されるガイドレールによってガイドされるキャリッジに搭載されるインクジェットヘッドを特定の方向に移動させる場合に、特定の方向へのインクジェットヘッドの移動に伴って、インクジェットヘッドが特定の方向に延在する軸を中心とした回転方向に傾くことを抑えることができる。したがって、本発明のインクジェットプリンターは、インクジェットヘッドによって媒体に印刷を実行する場合に、インクジェットヘッドによって吐出されたインクの媒体への着弾位置が、特定の方向におけるインクジェットヘッドの位置に応じて、特定の方向に直交する方向にずれることを抑えることができ、その結果、インクジェットヘッドによる印刷精度を向上することができる。
【０００８】
本発明のインクジェットプリンターにおいて、前記固定部は、前記レール固定面の延在方向であって前記特定の方向に直交する方向における前記レール固定面の両側に、前記特定の方向において複数の箇所に配置されても良い。
【０００９】
この構成により、本発明のインクジェットプリンターは、複数の固定部によってレール固定面を特定の方向に対して平行に高精度に調整可能であるので、インクジェットヘッドによる印刷精度を更に向上することができる。
【００１０】
本発明のインクジェットプリンターにおいて、前記第２の部材は、板金で形成されても良い。
【００１１】
この構成により、本発明のインクジェットプリンターは、第１の部材だけでなく、第２の部材も板金で形成されるので、レール固定部材のコストを更に抑えることができる。
【発明の効果】
【００１２】
本発明のインクジェットプリンターは、レール固定部材のコストを抑えることができる。
【図面の簡単な説明】
【００１３】
【図１】カバーが取り外された状態での本発明の一実施の形態に係るインクジェットプリンターの外観斜視図である。
【図２】図１に示すインクジェットプリンターのブロック図である。
【図３】図１に示すレール固定部材の外観斜視図である。
【図４】図３に示す右端部品の近傍の分解斜視図である。
【図５】図３に示す中央部品の近傍の分解斜視図である。
【図６】図３に示す左端部品の近傍の分解斜視図である。
【図７】図３に示す右端部品の外観斜視図である。
【図８】図３に示す中央部品の外観斜視図である。
【図９】図３に示す左端部品の外観斜視図である。
【図１０】図３に示すレール固定部材とは異なるレール固定部材の概略側面断面図である。
【発明を実施するための形態】
【００１４】
以下、本発明の一実施の形態について、図面を用いて説明する。
【００１５】
まず、本実施の形態に係るインクジェットプリンターの構成について説明する。
【００１６】
図１は、カバーが取り外された状態での本実施の形態に係るインクジェットプリンター１０の外観斜視図である。
【００１７】
図１に示すように、インクジェットプリンター１０は、矢印１０ａで示す鉛直方向における下側から媒体９０を支持するプラテン１１と、プラテン１１に対して鉛直方向における上側に配置されていて鉛直方向に直交する矢印１０ｂで示す左右方向に延在しているレール固定部材２０と、レール固定部材２０を支持することによってプラテン１１に対してレール固定部材２０を固定する２つの支持部材１２と、矢印１０ｂで示す方向に延在していてレール固定部材２０に固定されるガイドレール１３と、ガイドレール１３によって矢印１０ｂで示す方向における移動がガイドされるキャリッジ１４と、キャリッジ１４に搭載されて媒体９０に向けてインクを吐出する複数のインクジェットヘッド１５とを備えている。
【００１８】
図２は、インクジェットプリンター１０のブロック図である。
【００１９】
図２に示すように、インクジェットプリンター１０は、インクジェットヘッド１５と、矢印１０ａ（図１参照。）で示す方向および矢印１０ｂ（図１参照。）で示す方向の両方に直交する矢印１０ｃ（図１参照。）で示す方向に媒体９０（図１参照。）を搬送する媒体搬送装置７１と、ガイドレール１３に沿って矢印１０ｂで示す方向にキャリッジ１４（図１参照。）を移動させるキャリッジ駆動装置７２と、種々の操作が入力される例えばボタンなどの入力デバイスである操作部７３と、種々の情報を表示するＬＣＤ（Ｌｉｑｕｉｄ  Ｃｒｙｓｔａｌ  Ｄｉｓｐｌａｙ）などの表示デバイスである表示部７４と、ネットワーク経由で、または、ネットワークを介さずに有線または無線によって直接に、外部の装置と通信を行う通信デバイスである通信部７５と、各種の情報を記憶する半導体メモリー、ＨＤＤ（Ｈａｒｄ  Ｄｉｓｋ  Ｄｒｉｖｅ）などの不揮発性の記憶デバイスである記憶部７６と、インクジェットプリンター１０全体を制御する制御部７７とを備えている。
【００２０】
制御部７７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部７６に記憶されているプログラムを実行する。
【００２１】
図３は、レール固定部材２０の外観斜視図である。図４は、レール固定部材２０の右端部品３０の近傍の分解斜視図である。図５は、レール固定部材２０の中央部品４０の近傍の分解斜視図である。図６は、レール固定部材２０の左端部品５０の近傍の分解斜視図である。
【００２２】
図３および図５においては、中央部品４０の一部が省略されている。
【００２３】
図３〜図６に示すように、レール固定部材２０は、矢印１０ｂで示す左右方向における右側の端に配置される右端部品３０と、矢印１０ｂで示す左右方向における中央に配置される中央部品４０と、矢印１０ｂで示す左右方向における左側の端に配置される左端部品５０と、右端部品３０および中央部品４０の一方に対して他方を固定するための２枚の固定用板６１と、中央部品４０および左端部品５０の一方に対して他方を固定するための２枚の固定用板６２と、右端部品３０および中央部品４０の一方に対して他方を固定するためのネジ６３と、中央部品４０および左端部品５０の一方に対して他方を固定するネジ６４と、右端部品３０および固定用板６１の一方に対して他方を固定する複数のネジ６５と、中央部品４０および固定用板６１の一方に対して他方を固定する複数のネジ６６と、中央部品４０および固定用板６２の一方に対して他方を固定する複数のネジ６７と、左端部品５０および固定用板６２の一方に対して他方を固定する複数のネジ６８とを備えている。
【００２４】
右端部品３０は、ガイドレール１３（図１参照。）が固定される第１の部材としての前面側部材３１と、前面側部材３１が固定される第２の部材としての背面側部材３２と、前面側部材３１および背面側部材３２の一方に対して他方を固定する複数の偏心ネジ３３および複数のネジ３４とを備えている。偏心ネジ３３と、この偏心ネジ３３の最近のネジ３４との組み合わせが本発明の固定部を構成している。
【００２５】
前面側部材３１は、板金で形成されている。前面側部材３１は、矢印１０ｂで示す方向に略平行に延在する中央板部３１ａと、中央板部３１ａの上端から矢印１０ｃで示す方向に折り曲げられている上端板部３１ｂと、中央板部３１ａの下端から矢印１０ｃで示す方向に折り曲げられている下端板部３１ｃとを備えている。
【００２６】
中央板部３１ａは、ガイドレール１３が固定されるレール固定面３１ｄが形成される。中央板部３１ａは、ガイドレール１３をレール固定面３１ｄに固定するための複数のネジ穴３１ｅをレール固定面３１ｄに備えている。複数のネジ穴３１ｅは、矢印１０ｂで示す方向に並んで配置されている。中央板部３１ａは、ネジ６５の軸を通す複数の穴３１ｆを備えている。
【００２７】
上端板部３１ｂは、矢印１０ｂで示す方向に延在していて偏心ネジ３３の偏心部分が挿入される複数の長穴３１ｇと、矢印１０ｃで示す方向に延在していてネジ３４の軸が挿入される複数の長穴３１ｈと、矢印１０ｃで示す方向に延在していてネジ６３の軸が挿入される長穴３１ｉとを備えている。複数の長穴３１ｇは、矢印１０ｂで示す方向に並んで配置されている。複数の長穴３１ｈは、複数の長穴３１ｇのそれぞれの近傍に１つずつ配置されるように、矢印１０ｂで示す方向に並んで配置されている。
【００２８】
下端板部３１ｃは、偏心ネジ３３と嵌め合う図示していない複数のネジ穴と、ネジ３４と嵌め合う図示していない複数のネジ穴とを備えている。偏心ネジ３３と嵌め合う複数のネジ穴は、背面側部材３２の後述する複数の長穴３２ｇのそれぞれに１つずつ対応して配置されるように、矢印１０ｂで示す方向に並んで配置されている。ネジ３４と嵌め合う複数のネジ穴は、背面側部材３２の後述する複数の長穴３２ｈのそれぞれに１つずつ対応して配置されるように、矢印１０ｂで示す方向に並んで配置されている。
【００２９】
背面側部材３２は、板金で形成されている。背面側部材３２は、矢印１０ｂで示す方向に略平行に延在する中央板部３２ａと、中央板部３２ａの上端から矢印１０ｃで示す方向に折り曲げられている上端板部３２ｂと、中央板部３２ａの下端から矢印１０ｃで示す方向に折り曲げられている下端板部３２ｃとを備えている。
【００３０】
中央板部３２ａは、ネジ６５の軸を通す複数の穴３２ｄを備えている。
【００３１】
上端板部３２ｂは、偏心ネジ３３と嵌め合う複数のネジ穴３２ｅと、ネジ３４と嵌め合う複数のネジ穴３２ｆとを備えている。複数のネジ穴３２ｅは、前面側部材３１の複数の長穴３１ｇのそれぞれに１つずつ対応して配置されるように、矢印１０ｂで示す方向に並んで配置されている。複数のネジ穴３２ｆは、前面側部材３１の複数の長穴３１ｈのそれぞれに１つずつ対応して配置されるように、矢印１０ｂで示す方向に並んで配置されている。
【００３２】
下端板部３２ｃは、矢印１０ｂで示す方向に延在していて偏心ネジ３３の偏心部分が挿入される複数の長穴３２ｇと、矢印１０ｃで示す方向に延在していてネジ３４の軸が挿入される複数の長穴３２ｈとを備えている。複数の長穴３２ｇは、矢印１０ｂで示す方向に並んで配置されている。複数の長穴３２ｈは、複数の長穴３２ｇのそれぞれの近傍に１つずつ配置されるように、矢印１０ｂで示す方向に並んで配置されている。
【００３３】
中央部品４０は、ガイドレール１３が固定される第１の部材としての前面側部材４１と、前面側部材４１が固定される第２の部材としての背面側部材４２と、前面側部材４１および背面側部材４２の一方に対して他方を固定する複数の偏心ネジ４３および複数のネジ４４とを備えている。偏心ネジ４３と、この偏心ネジ４３の最近のネジ４４との組み合わせが本発明の固定部を構成している。
【００３４】
前面側部材４１は、板金で形成されている。前面側部材４１は、矢印１０ｂで示す方向に略平行に延在する中央板部４１ａと、中央板部４１ａの上端から矢印１０ｃで示す方向に折り曲げられている上端板部４１ｂと、中央板部４１ａの下端から矢印１０ｃで示す方向に折り曲げられている下端板部４１ｃとを備えている。
【００３５】
中央板部４１ａは、ガイドレール１３が固定されるレール固定面４１ｄが形成される。中央板部４１ａは、ガイドレール１３をレール固定面４１ｄに固定するための複数のネジ穴４１ｅをレール固定面４１ｄに備えている。複数のネジ穴４１ｅは、矢印１０ｂで示す方向に並んで配置されている。中央板部４１ａは、ネジ６６の軸を通す複数の穴４１ｆと、ネジ６７の軸を通す複数の穴４１ｇとを備えている。中央板部４１ａは、レール固定部材２０を支持部材１２に固定するネジ１２ａ（図１参照。）が挿入される複数の穴４１ｈを備えている。
【００３６】
上端板部４１ｂは、矢印１０ｂで示す方向に延在していて偏心ネジ４３の偏心部分が挿入される複数の長穴４１ｉと、矢印１０ｃで示す方向に延在していてネジ４４の軸が挿入される複数の長穴４１ｊと、ネジ６３と嵌め合うネジ穴４１ｋと、ネジ６４と嵌め合うネジ穴４１ｌとを備えている。複数の長穴４１ｉは、矢印１０ｂで示す方向に並んで配置されている。複数の長穴４１ｊは、複数の長穴４１ｉのそれぞれの近傍に１つずつ配置されるように、矢印１０ｂで示す方向に並んで配置されている。
【００３７】
下端板部４１ｃは、偏心ネジ４３と嵌め合う図示していない複数のネジ穴と、ネジ４４と嵌め合う図示していない複数のネジ穴とを備えている。偏心ネジ４３と嵌め合う複数のネジ穴は、背面側部材４２の後述する複数の長穴４２ｈのそれぞれに１つずつ対応して配置されるように、矢印１０ｂで示す方向に並んで配置されている。ネジ４４と嵌め合う複数のネジ穴は、背面側部材４２の後述する複数の長穴４２ｉのそれぞれに１つずつ対応して配置されるように、矢印１０ｂで示す方向に並んで配置されている。下端板部４１ｃは、支持部材１２の一部が挿入される図示していない溝を、背面側部材４２の後述する溝４２ｊに対応する位置に備えている。
【００３８】
背面側部材４２は、板金で形成されている。背面側部材４２は、矢印１０ｂで示す方向に略平行に延在する中央板部４２ａと、中央板部４２ａの上端から矢印１０ｃで示す方向に折り曲げられている上端板部４２ｂと、中央板部４２ａの下端から矢印１０ｃで示す方向に折り曲げられている下端板部４２ｃとを備えている。
【００３９】
中央板部４２ａは、ネジ６６の軸を通す複数の穴４２ｄと、ネジ６７の軸を通す複数の穴４２ｅとを備えている。
【００４０】
上端板部４２ｂは、偏心ネジ４３と嵌め合う複数のネジ穴４２ｆと、ネジ４４と嵌め合う複数のネジ穴４２ｇとを備えている。複数のネジ穴４２ｆは、前面側部材４１の複数の長穴４１ｉのそれぞれに１つずつ対応して配置されるように、矢印１０ｂで示す方向に並んで配置されている。複数のネジ穴４２ｇは、前面側部材４１の複数の長穴４１ｊのそれぞれに１つずつ対応して配置されるように、矢印１０ｂで示す方向に並んで配置されている。
【００４１】
下端板部４２ｃは、矢印１０ｂで示す方向に延在していて偏心ネジ４３の偏心部分が挿入される複数の長穴４２ｈと、矢印１０ｃで示す方向に延在していてネジ４４の軸が挿入される複数の長穴４２ｉとを備えている。複数の長穴４２ｈは、矢印１０ｂで示す方向に並んで配置されている。複数の長穴４２ｉは、複数の長穴４２ｈのそれぞれの近傍に１つずつ配置されるように、矢印１０ｂで示す方向に並んで配置されている。下端板部４２ｃは、支持部材１２の一部が挿入される溝４２ｊを備えている。
【００４２】
左端部品５０は、ガイドレール１３が固定される第１の部材としての前面側部材５１と、前面側部材５１が固定される第２の部材としての背面側部材５２と、前面側部材５１および背面側部材５２の一方に対して他方を固定する複数の偏心ネジ５３および複数のネジ５４とを備えている。偏心ネジ５３と、この偏心ネジ５３の最近のネジ５４との組み合わせが本発明の固定部を構成している。
【００４３】
前面側部材５１は、板金で形成されている。前面側部材５１は、矢印１０ｂで示す方向に略平行に延在する中央板部５１ａと、中央板部５１ａの上端から矢印１０ｃで示す方向に折り曲げられている上端板部５１ｂと、中央板部５１ａの下端から矢印１０ｃで示す方向に折り曲げられている下端板部５１ｃとを備えている。
【００４４】
中央板部５１ａは、ガイドレール１３が固定されるレール固定面５１ｄが形成される。中央板部５１ａは、ガイドレール１３をレール固定面５１ｄに固定するための複数のネジ穴５１ｅをレール固定面５１ｄに備えている。複数のネジ穴５１ｅは、矢印１０ｂで示す方向に並んで配置されている。中央板部５１ａは、ネジ６８の軸を通す複数の穴５１ｆを備えている。
【００４５】
上端板部５１ｂは、矢印１０ｂで示す方向に延在していて偏心ネジ５３の偏心部分が挿入される複数の長穴５１ｇと、矢印１０ｃで示す方向に延在していてネジ５４の軸が挿入される複数の長穴５１ｈと、矢印１０ｃで示す方向に延在していてネジ６４の軸が挿入される長穴５１ｉとを備えている。複数の長穴５１ｇは、矢印１０ｂで示す方向に並んで配置されている。複数の長穴５１ｈは、複数の長穴５１ｇのそれぞれの近傍に１つずつ配置されるように、矢印１０ｂで示す方向に並んで配置されている。
【００４６】
下端板部５１ｃは、偏心ネジ５３と嵌め合う図示していない複数のネジ穴と、ネジ５４と嵌め合う図示していない複数のネジ穴とを備えている。偏心ネジ５３と嵌め合う複数のネジ穴は、背面側部材５２の後述する複数の長穴５２ｇのそれぞれに１つずつ対応して配置されるように、矢印１０ｂで示す方向に並んで配置されている。ネジ５４と嵌め合う複数のネジ穴は、背面側部材５２の後述する複数の長穴５２ｈのそれぞれに１つずつ対応して配置されるように、矢印１０ｂで示す方向に並んで配置されている。
【００４７】
背面側部材５２は、板金で形成されている。背面側部材５２は、矢印１０ｂで示す方向に略平行に延在する中央板部５２ａと、中央板部５２ａの上端から矢印１０ｃで示す方向に折り曲げられている上端板部５２ｂと、中央板部５２ａの下端から矢印１０ｃで示す方向に折り曲げられている下端板部５２ｃとを備えている。
【００４８】
中央板部５２ａは、ネジ６８の軸を通す複数の穴５２ｄを備えている。
【００４９】
上端板部５２ｂは、偏心ネジ５３と嵌め合う複数のネジ穴５２ｅと、ネジ５４と嵌め合う複数のネジ穴５２ｆとを備えている。複数のネジ穴５２ｅは、前面側部材５１の複数の長穴５１ｇのそれぞれに１つずつ対応して配置されるように、矢印１０ｂで示す方向に並んで配置されている。複数のネジ穴５２ｆは、前面側部材３１の複数の長穴５１ｈのそれぞれに１つずつ対応して配置されるように、矢印１０ｂで示す方向に並んで配置されている。
【００５０】
下端板部５２ｃは、矢印１０ｂで示す方向に延在していて偏心ネジ５３の偏心部分が挿入される複数の長穴５２ｇと、矢印１０ｃで示す方向に延在していてネジ５４の軸が挿入される複数の長穴５２ｈとを備えている。複数の長穴５２ｇは、矢印１０ｂで示す方向に並んで配置されている。複数の長穴５２ｈは、複数の長穴５２ｇのそれぞれの近傍に１つずつ配置されるように、矢印１０ｂで示す方向に並んで配置されている。
【００５１】
固定用板６１は、ネジ６５と嵌め合う複数のネジ穴６１ａと、ネジ６６と嵌め合う複数のネジ穴６１ｂとを備えている。
【００５２】
固定用板６２は、ネジ６７と嵌め合う複数のネジ穴６２ａと、ネジ６８と嵌め合う複数のネジ穴６２ｂとを備えている。
【００５３】
次に、レール固定部材２０の組み立て方法について説明する。
【００５４】
まず、右端部品３０の組み立て方法について説明する。
【００５５】
作業者は、図４に示す前面側部材３１の上端板部３１ｂ、下端板部３１ｃをそれぞれ背面側部材３２の上端板部３２ｂ、下端板部３２ｃの上側に配置する。次いで、作業者は、偏心ネジ３３を上端板部３１ｂの長穴３１ｇに挿入して上端板部３２ｂのネジ穴３２ｅに嵌め合わせるとともに、ネジ３４を上端板部３１ｂの長穴３１ｈに挿入して上端板部３２ｂのネジ穴３２ｆに嵌め合わせる。また、作業者は、偏心ネジ３３を下端板部３２ｃの長穴３２ｇに挿入して下端板部３１ｃのネジ穴に嵌め合わせるとともに、ネジ３４を下端板部３２ｃの長穴３２ｈに挿入して下端板部３１ｃのネジ穴に嵌め合わせる。以上のようにして、図７に示す右端部品３０が組み立てられる。
【００５６】
次に、中央部品４０の組み立て方法について説明する。
【００５７】
作業者は、図５に示す前面側部材４１の上端板部４１ｂ、下端板部４１ｃをそれぞれ背面側部材４２の上端板部４２ｂ、下端板部４２ｃの上側に配置する。次いで、作業者は、偏心ネジ４３を上端板部４１ｂの長穴４１ｉに挿入して上端板部４２ｂのネジ穴４２ｆに嵌め合わせるとともに、ネジ４４を上端板部４１ｂの長穴４１ｊに挿入して上端板部４２ｂのネジ穴４２ｇに嵌め合わせる。また、作業者は、偏心ネジ４３を下端板部４２ｃの長穴４２ｈに挿入して下端板部４１ｃのネジ穴に嵌め合わせるとともに、ネジ４４を下端板部４２ｃの長穴４２ｉに挿入して下端板部４１ｃのネジ穴に嵌め合わせる。以上のようにして、図８に示す中央部品４０が組み立てられる。
【００５８】
次に、左端部品５０の組み立て方法について説明する。
【００５９】
作業者は、図６に示す前面側部材５１の上端板部５１ｂ、下端板部５１ｃをそれぞれ背面側部材５２の上端板部５２ｂ、下端板部５２ｃの上側に配置する。次いで、作業者は、偏心ネジ５３を上端板部５１ｂの長穴５１ｇに挿入して上端板部５２ｂのネジ穴５２ｅに嵌め合わせるとともに、ネジ５４を上端板部５１ｂの長穴５１ｈに挿入して上端板部５２ｂのネジ穴５２ｆに嵌め合わせる。また、作業者は、偏心ネジ５３を下端板部５２ｃの長穴５２ｇに挿入して下端板部５１ｃのネジ穴に嵌め合わせるとともに、ネジ５４を下端板部５２ｃの長穴５２ｈに挿入して下端板部５１ｃのネジ穴に嵌め合わせる。以上のようにして、図９に示す左端部品５０が組み立てられる。
【００６０】
次に、右端部品３０、中央部品４０および左端部品５０を用いたレール固定部材２０の組み立て方法について説明する。
【００６１】
作業者は、ネジ６５を右端部品３０の前面側部材３１の穴３１ｆに挿入して２枚の固定用板６１のうちの一方の固定用板６１のネジ穴６１ａに嵌め合わせるとともに、ネジ６５を右端部品３０の背面側部材３２の穴３２ｄに挿入して２枚の固定用板６１のうちの他方の固定用板６１のネジ穴６１ａに嵌め合わせる。また、作業者は、ネジ６６を中央部品４０の前面側部材４１の穴４１ｆに挿入して２枚の固定用板６１のうちの一方の固定用板６１のネジ穴６１ｂに嵌め合わせるとともに、ネジ６６を中央部品４０の背面側部材４２の穴４２ｄに挿入して２枚の固定用板６１のうちの他方の固定用板６１のネジ穴６１ｂに嵌め合わせる。そして、作業者は、ネジ６３を右端部品３０の前面側部材３１の長穴３１ｉに挿入して中央部品４０の前面側部材４１のネジ穴４１ｋに嵌め合わせる。以上のようにして、右端部品３０および中央部品４０が互いに固定される。
【００６２】
作業者は、ネジ６７を中央部品４０の前面側部材４１の穴４１ｇに挿入して２枚の固定用板６２のうちの一方の固定用板６２のネジ穴６２ａに嵌め合わせるとともに、ネジ６７を中央部品４０の背面側部材４２の穴４２ｅに挿入して２枚の固定用板６２のうちの他方の固定用板６２のネジ穴６２ａに嵌め合わせる。また、作業者は、ネジ６８を左端部品５０の前面側部材５１の穴５１ｆに挿入して２枚の固定用板６２のうちの一方の固定用板６２のネジ穴６２ｂに嵌め合わせるとともに、ネジ６８を左端部品５０の背面側部材５２の穴５２ｄに挿入して２枚の固定用板６２のうちの他方の固定用板６２のネジ穴６２ｂに嵌め合わせる。そして、作業者は、ネジ６４を左端部品５０の前面側部材５１の長穴５１ｉに挿入して中央部品４０の前面側部材４１のネジ穴４１ｌに嵌め合わせる。以上のようにして、中央部品４０および左端部品５０が互いに固定される。
【００６３】
以上のようにして、右端部品３０および左端部品５０が中央部品４０に固定されることによって、図３に示すレール固定部材２０が組み立てられる。
【００６４】
次に、ガイドレール１３へのキャリッジ１４の設置方法について説明する。
【００６５】
作業者は、図３に示すレール固定部材２０の下端板部４１ｃの溝と、溝４２ｊとに支持部材１２の一部を挿入した後、ネジ１２ａをレール固定部材２０の穴４１ｈに挿入して支持部材１２の図示していないネジ穴に嵌め合わせることによって、支持部材１２にレール固定部材２０を固定する。支持部材１２へのレール固定部材２０の固定は、２つの支持部材１２のそれぞれに対して行われる。
【００６６】
次いで、作業者は、レール固定部材２０のレール固定面３１ｄ、４１ｄおよび５１ｄが矢印１０ｂで示す方向に対して平行な平面になるように調整する。具体的には、作業者は、まず、レール固定面３１ｄ、４１ｄおよび５１ｄが矢印１０ｂで示す方向に対して平行な平面であるか否かを判定する。この判定のための測定は、例えばダイヤルゲージなどの接触式の測定手段や、例えばフォトセンサーなどの非接触式の測定手段によって行われる。そして、作業者は、レール固定面３１ｄ、４１ｄおよび５１ｄが矢印１０ｂで示す方向に対して平行な平面ではないと判定すると、レール固定面３１ｄ、４１ｄおよび５１ｄが矢印１０ｂで示す方向に対して平行な平面になるように、レール固定面３１ｄ、４１ｄおよび５１ｄのうち、矢印１０ｂで示す方向に対して平行な平面ではない部分を調整する。
【００６７】
例えば、作業者は、右端部品３０の上端のいずれかの偏心ネジ３３の最近のネジ３４を緩めることによって、前面側部材３１のうち、この偏心ネジ３３の近傍の部分を、この偏心ネジ３３の回転に応じて背面側部材３２に対して矢印１０ｃで示す方向に移動可能にする。そして、作業者は、この偏心ネジ３３を回すことによって、この偏心ネジ３３の偏心部分に押された前面側部材３１の部分を、この偏心ネジ３３とネジ穴で嵌め合っている背面側部材３２の部分に対して矢印１０ｃで示す方向に移動させる。その後、作業者は、レール固定面３１ｄのうち、この偏心ネジ３３の近傍の部分が矢印１０ｂで示す方向に対して平行な平面であるか否かを上述した方法によって判定する。作業者は、この偏心ネジ３３の近傍の部分が矢印１０ｂで示す方向に対して平行な平面であると判定するまで、この偏心ネジ３３を回すことと、この偏心ネジ３３の近傍の部分が矢印１０ｂで示す方向に対して平行な平面であるか否かの判定とを繰り返す。作業者は、この偏心ネジ３３の近傍の部分が矢印１０ｂで示す方向に対して平行な平面であると判定すると、この偏心ネジ３３の最近のネジ３４を締めることによって、前面側部材３１のうち、この偏心ネジ３３の近傍の部分を、背面側部材３２に対して矢印１０ｃで示す方向に移動不可能にする。
【００６８】
以上においては、右端部品３０の上端の偏心ネジ３３について説明したが、右端部品３０の下端の偏心ネジ３３を回すことによって、この偏心ネジ３３とネジ穴で嵌め合っている前面側部材３１の部分を、この偏心ネジ３３の偏心部分に押された背面側部材３２の部分に対して矢印１０ｃで示す方向に移動させることができるし、中央部品４０の上端の偏心ネジ４３を回すことによって、この偏心ネジ４３の偏心部分に押された前面側部材４１の部分を、この偏心ネジ４３とネジ穴で嵌め合っている背面側部材４２の部分に対して矢印１０ｃで示す方向に移動させることができるし、中央部品４０の下端の偏心ネジ４３を回すことによって、この偏心ネジ４３とネジ穴で嵌め合っている前面側部材４１の部分を、この偏心ネジ４３の偏心部分に押された背面側部材４２の部分に対して矢印１０ｃで示す方向に移動させることができるし、左端部品５０の上端の偏心ネジ５３を回すことによって、この偏心ネジ５３の偏心部分に押された前面側部材５１の部分を、この偏心ネジ５３とネジ穴で嵌め合っている背面側部材５２の部分に対して矢印１０ｃで示す方向に移動させることができるし、左端部品５０の下端の偏心ネジ５３を回すことによって、この偏心ネジ５３とネジ穴で嵌め合っている前面側部材５１の部分を、この偏心ネジ５３の偏心部分に押された背面側部材５２の部分に対して矢印１０ｃで示す方向に移動させることができる。
【００６９】
作業者は、レール固定部材２０のレール固定面３１ｄ、４１ｄおよび５１ｄが矢印１０ｂで示す方向に対して平行な平面になるように調整した後、複数のネジ１３ａ（図１参照。）をガイドレール１３の図示していない穴に挿入してレール固定部材２０のネジ穴３１ｅ、４１ｅおよび５１ｅに１つずつ嵌め合わせることによって、レール固定部材２０のレール固定面３１ｄ、４１ｄおよび５１ｄにガイドレール１３を固定する。このとき、作業者は、複数のネジ１３ａによるレール固定部材２０に対するガイドレール１３の固定位置の調整によって、矢印１０ａに示す方向におけるプラテン１１に対するガイドレール１３の位置を特定の位置に調整することができる。
【００７０】
作業者は、レール固定部材２０にガイドレール１３を固定した後、ガイドレール１３にキャリッジ１４を支持させる。このとき、作業者は、キャリッジ１４が備えている図示していない調整機構によって、矢印１０ｂで示す方向に延在する軸を中心とした回転方向におけるプラテン１１に対するキャリッジ１４の傾きを特定の傾きに調整することができる。
【００７１】
次に、インクジェットプリンター１０の動作について説明する。
【００７２】
通信部７５を介して印刷データを受信すると、制御部７７は、通信部７５を介して受信した印刷データに基づいて、媒体９０に対して印刷を実行する。すなわち、制御部７７は、キャリッジ駆動装置７２によって矢印１０ｂで示す方向にキャリッジ１４を移動させてインクジェットヘッド１５によって媒体９０に向けてインクを吐出することによって、矢印１０ｂで示す方向における媒体９０に対する印刷を実行する。また、制御部７７は、矢印１０ｂで示す方向における媒体９０に対する印刷を実行する度に、媒体搬送装置７１によって矢印１０ｃで示す方向に媒体９０を搬送することによって、矢印１０ｃで示す方向における媒体９０に対する印刷の位置を変更する。
【００７３】
以上に説明したように、インクジェットプリンター１０は、前面側部材３１、４１、５１が板金で形成されるので、レール固定部材２０のコストを抑えることができる。
【００７４】
レール固定面３１ｄ、４１ｄおよび５１ｄは、背面側部材３２、４２および５２に対する前面側部材３１、４１および５２の固定位置が偏心ネジ３３、４３および５３のそれぞれによって調整されることによって、矢印１０ｂで示す方向に対して平行に調整される。インクジェットプリンター１０は、前面側部材３１、４１、５１が板金で形成されても、複数の偏心ネジ３３、４３および５３によってレール固定面３１ｄ、４１ｄ、５１ｄを矢印１０ｂで示す方向に対して平行に調整可能であるので、レール固定面３１ｄ、４１ｄ、５１ｄに固定されるガイドレール１３によってガイドされるキャリッジ１４に搭載されるインクジェットヘッド１５を矢印１０ｂで示す方向に移動させる場合に、矢印１０ｂで示す方向へのインクジェットヘッド１５の移動に伴って、インクジェットヘッド１５が矢印１０ｂで示す方向に延在する軸を中心とした回転方向に傾くことを抑えることができる。したがって、インクジェットプリンター１０は、インクジェットヘッド１５によって媒体９０に印刷を実行する場合に、インクジェットヘッド１５によって吐出されたインクの媒体９０への着弾位置が、矢印１０ｂで示す方向におけるインクジェットヘッド１５の位置に応じて、矢印１０ｂで示す方向に直交する方向、すなわち、矢印１０ｃで示す方向にずれることを抑えることができ、その結果、インクジェットヘッド１５による印刷精度を向上することができる。
【００７５】
偏心ネジ３３、４３および５３は、レール固定面３１ｄ、４１ｄおよび５１ｄの延在方向であって矢印１０ｂで示す方向に直交する方向、すなわち、矢印１０ａで示す方向におけるレール固定面３１ｄ、４１ｄおよび５１ｄの両側に、矢印１０ｂで示す方向において複数の箇所に配置されている。この構成により、インクジェットプリンター１０は、複数の偏心ネジ３３、４３および５３によってレール固定面３１ｄ、４１ｄおよび５１ｄを矢印１０ｂで示す方向に対して平行に高精度に調整可能であるので、インクジェットヘッド１５による印刷精度を更に向上することができる。
【００７６】
インクジェットプリンター１０は、前面側部材３１、４１、５１だけでなく、背面側部材３２、４２、５２も板金で形成されるので、レール固定部材２０のコストを更に抑えることができる。なお、背面側部材３２、４２、５２は、板金以外の材料で形成されても良い。
【００７７】
なお、前面側部材３１、４１および５２は、本実施の形態において、背面側部材３２、４２および５２に対して図３に示すように偏心ネジ３３、４３および５３によって矢印１０ｃで示す方向における位置が複数の箇所で調整される。しかしながら、前面側部材は、本実施の形態に示す仕組み以外の仕組みによって、背面側部材に対して矢印１０ｃで示す方向における位置が複数の箇所で調整されても良い。例えば、前面側部材は、図１０に示す仕組みによって、背面側部材に対して矢印１０ｃで示す方向における位置が複数の箇所で調整されても良い。
【００７８】
図１０は、図３に示すレール固定部材２０とは異なるレール固定部材１２０の概略側面断面図である。
【００７９】
図１０に示すレール固定部材１２０は、ガイドレール１３（図１参照。）が固定される第１の部材としての前面側部材１２１と、前面側部材１２１が固定される第２の部材としての背面側部材１２２と、前面側部材１２１および背面側部材１２２の一方に対して他方を固定する複数の固定部としてのネジ１２３とを備えている。ネジ１２３は、前面側部材１２１の穴１２１ａに矢印１０ｃで示す方向に挿入されて背面側部材１２２のネジ穴１２２ａに嵌め合わされている。矢印１０ｃで示す方向における前面側部材１２１に対するネジ１２３の位置は、図示していない機構によって、ネジ１２３が回されても維持されるようになっている。ネジ１２３は、矢印１０ａで示す方向におけるレール固定面１２１ｂの両側に、矢印１０ｂ（図３参照。）で示す方向において複数の箇所に配置されている。背面側部材１２２に対する前面側部材１２１の位置は、ネジ１２３を回すことによって、調整される。
【００８０】
インクジェットプリンター１０は、本実施の形態において、プラテン１１に対して媒体９０を矢印１０ｃで示す副走査方向に搬送することによって、インクジェットヘッド１５に対して媒体９０を副走査方向に移動させている。しかしながら、インクジェットプリンター１０は、プラテン１１を図１に示すものより副走査方向に伸ばして、プラテン１１に対してレール固定部材２０を副走査方向に移動させることによって、媒体９０に対してインクジェットヘッド１５を副走査方向に移動させても良い。
【符号の説明】
【００８１】
１０  インクジェットプリンター
１０ａ  矢印（レール固定面の延在方向であって特定の方向に直交する方向を示す矢印）
１０ｂ  矢印（特定の方向を示す矢印）
１３  ガイドレール
１４  キャリッジ
１５  インクジェットヘッド
２０  レール固定部材
３１  前面側部材（第１の部材）
３１ｄ  レール固定面
３２  背面側部材（第２の部材）
３３  偏心ネジ（固定部）
３４  ネジ（固定部）
４１  前面側部材（第１の部材）
４１ｄ  レール固定面
４２  背面側部材（第２の部材）
４３  偏心ネジ（固定部）
４４  ネジ（固定部）
５１  前面側部材（第１の部材）
５１ｄ  レール固定面
５２  背面側部材（第２の部材）
５３  偏心ネジ（固定部）
５４  ネジ（固定部）
１２０  レール固定部材
１２１  前面側部材（第１の部材）
１２１ｂ  レール固定面
１２２  背面側部材（第２の部材）
１２３  ネジ（固定部）
【図１】
2019199035.tif 000003
【図２】
2019199035.tif 000004
【図３】
2019199035.tif 000005
【図４】
2019199035.tif 000006
【図５】
2019199035.tif 000007
【図６】
2019199035.tif 000008
【図７】
2019199035.tif 000009
【図８】
2019199035.tif 000010
【図９】
2019199035.tif 000011
【図１０】
2019199035.tif 000012